(57)【要約】      （修正有）【課題】多様化配置ができる複合式延長線の提供。【解決手段】複合式延長線は、殻体、挿座孔座、可動フック、からなり、殻体は上蓋、下蓋からなり、挿座孔架は、上蓋と殻体末端に設置される。下蓋底部に滑槽を有し、滑槽は可動フックを結合する。殻体が可動フックに結合することにより、複合式延長線が完成する。本考案の可動フックはPPかABS材質により強力磁石を包覆し、壁上に掛けたり、冷蔵庫に吸着したりでき、多様化配置が可能である。また、可動フックの両側に係合素子を有し、係合素子は下蓋側辺の滑槽に組み合わされる時、可動フックに上下滑動を提供する。また、可動フックは殻体から分離して１８０度回すと、可動フックがもう一方に向いて、複合式延長線の応用が便利になる。【選択図】    図２
0003132822.tif 000002
【実用新案登録請求の範囲】
【請求項１】
複合式延長線であって、殻体、挿座孔座、可動フック、からなり、
前記殻体は上蓋、下蓋からなり、前記上蓋と殻体末端に前記挿座孔架が設置され、前記下蓋両側に滑槽を有し、前記滑槽は可動フックを結合し、
前記挿座孔架は、前記上蓋と前記殻体末端に設置され、
前記可動フックは、PPかABS材質により強力磁石を包覆し、両側は係合素子を有し、前記係合素子は前記下蓋の滑槽に結合することを特徴とする複合式延長線。
【請求項２】
前記可動フックは前記滑槽に結合し、前記滑槽を前記係合素子のトラックとし、前記可動フックは前方に推して定位し、前記可動フックは前記殻体から突出し、フックとして使用し、壁面に掛けることができ、前記可動フックはPPかABS材質により強力磁石を包覆してなり、PPやABS材質は非吸着物を保護することを特徴とする請求項1に記載の複合式延長線。
【請求項３】
前記可動フックは不使用時、前記可動フックを下方に滑動するか、前記殻体から分離して外観を整頓し、且つ、前記可動フックは更に、前記殻体から分離して、１８０度回転させて再度前記殻体と結合すれば、前記可動フックが別方向に向き、フックとして使用できることを特徴とする請求項1に記載の複合式延長線。
【考案の詳細な説明】
【技術分野】
【０００１】
本考案は、複合式延長線に関し、特に、壁に掛けたり、冷蔵庫に吸着したりできる多様化配置が可能な延長線に関するものである。
【背景技術】
【０００２】
図１は公知の延長線の構造図で、公知の延長線の固定方式は、延長線の背面に両面テープを貼り、更に、その両面テープにより延長線を放置したい場所に固定する。延長線を外したい場合、延長線にテープが残留し、延長線の放置箇所にも同様にテープの残留物が残り、簡単に除去することができない。また、公知の延長線は同一方向にしか固定できず、延長戦の設置方向を変更することができないので、使用上不便である。
【０００３】
よって、上述の欠点を改善する延長線の提供が必要である。
【考案の開示】
【考案が解決しようとする課題】
【０００４】
本考案は、壁に掛けたり、冷蔵庫に吸着したりできる多様化配置が可能な複合式延長線を提供することを目的とする。
【課題を解決するための手段】
【０００５】
複合式延長線は、殻体、挿座孔座、可動フック、からなり、殻体は上蓋、下蓋からなり、挿座孔架は、上蓋と殻体末端に設置される。下蓋両側に滑槽を有し、滑槽は可動フックを結合する。殻体が可動フックに結合することにより、電線を溶接した導電片を殻体に組み合わせて、複合式延長線が完成する。
【０００６】
可動フックは、装着後、使用者の需要により調整でき、フックを使用しない時、可動フックを下に滑動させるか分離させ、延長線の外観を整える。フック使用時、可動フックを上に滑出させ、且つ、滑動の過程で、可動フックを前に軽く推動すれば、フック功能が達成される。更に、可動フックを殻体から分離させて、１８０度回転させて再度殻体に結合すると、可動フックはもう一方に向き、フックとして使用できる。      
【考案の効果】
【０００７】
本考案の複合式延長線は、
１．  
多様化配置方式が可能で、可動フックが強力磁石により冷蔵庫や鉄製家具に吸着したり、壁に掛けることができる。
２．  
本延長線は可動フック未使用時、可動フックを底座に旋入し、外に露出しないので美観である。
３．  
可動フックはPPかABS材質により強力磁石を包覆して、被吸着物表面を保護し、公知の両面テープにより延長線を固定する方式のようなテープ残留物が残留する問題がない。
【考案を実施するための最良の形態】
【０００８】
図２、及び、図３は本考案の複合式延長線を示す図で、実施時、殻体１、挿座孔座２、可動フック３、からなり、殻体１は上蓋１１、下蓋１２からなり、挿座孔架は２、上蓋１１と殻体１末端に設置される。下蓋１２両側に滑槽３３を有し、滑槽３３は可動フック３を結合する。殻体１が可動フック３に結合することにより、電線を溶接した導電片が殻体１に組み合わされて、複合式延長線が完成する。
【０００９】
可動フック３は、装着後、使用者の需要により調整でき、フックを使用しない時、可動フック３を下に滑動させるか殻体１から分離させ、延長線の外観を整える。フック使用時、可動フック３を上に滑出させ、且つ、滑動の過程で、可動フック３を前に軽く推動すれば、フック功能が達成される。
【００１０】
可動フック３はPPかABS材質により強力磁石を包覆し、PPやABS材質は、被吸着物表面を保護し、傷つけることなく、両側に係合素子３１を設置し、係合素子３１は下蓋の滑槽３３に結合する。可動フック３は複合式延長線を壁上に掛けたり、冷蔵庫４に吸着したりでき、多様化配置が可能である。また、滑槽３３は可動フック３を上下に滑動させ、使用者は随時、複合式延長線を調整することができる。
【００１１】
図２は本考案の可動フックの分解図である。可動フック３はPPかABS材質により強力磁石３３を包覆し、被吸着物表面を保護する。可動フックは下蓋に可動設置され、上下に滑動できる。
【００１２】
図３は本考案の可動フックの動作図である。本考案はフックを使用しない時、滑槽３３を係合素子３１のトラックとし、可動フック３を下方に滑らせ、外観が整う。
【００１３】
図４は本考案の可動フックのもう一つの動作図で、本考案は壁面に掛設したい時、滑槽３３を係合素子３１のトラックとし、可動フック３を前方に推して定位させ、可動フック３を殻体１から突出させ、フックとしての用途が可能である。図５の可動フックの転向図を再度参照すると、可動フックを殻体から分離し、180度回転させて再度殻体に結合し、可動フックがもう一方に向き、フックとして使用できる。
【００１４】
図６は本考案の第一実施例を示す図で、可動フック３内に強力磁石３２を設置し、強力磁石３２により鉄製品を吸着し、複合式延長線は冷蔵庫４に吸着し、異なる延長線の配置方式が達成される。
【００１５】
図７は本考案の第二実施例を示す図で、可動フック使用時、滑槽３３を係合素子３１のトラックとし、可動フック３を前方に推して定位させ、可動フック３を殻体１から突出させ、フックの用途が可能で、壁上のフレーム５に掛けることができ、本考案は可動フック３を１８０度転向させて、可動フック３のフック部分を別の一端に向け、フレーム５にかけると、フックとして使用できる。
【００１６】
公知の延長線と比較すると、公知の延長線は、
１．  
公知の延長線の固定方式は、延長線背面に両面テープを貼るので、延長線上にテープの残留物が残る。
２．  
公知の延長線固定後、方向変換が困難で、延長線は有効利用できない。
本考案の複合式延長線は、
４．  
多様化配置方式が可能で、可動フックが強力磁石により冷蔵庫や鉄製家具に吸着したり、壁に掛けることができる。
５．  
本延長線は可動フック未使用時、可動フックを底座に旋入し、外に露出しないので美観である。
６．  
可動フックはPPかABS材質により強力磁石を包覆して、被吸着物表面を保護し、公知の両面テープにより延長線を固定する方式のようなテープ残留物が残留する問題がない。
【図面の簡単な説明】
【００１７】
【図１】公知の延長線の構造図である。
【図２】本考案の可動フックの分解図である。
【図３】本考案の可動フックの動作図である。
【図４】本考案の可動フックのもう一つの動作図である。
【図５】本考案の可動フックの転向図である。
【図６】本考案の第一実施例図である。
【図７】本考案の第二実施例図である。
【符号の説明】
【００１８】
１        殻体
１１      上蓋
１２      下蓋
２        挿座孔架
３        可動フック
３３      滑槽
３２      強力磁石
３１      係合素子
４        冷蔵庫
５        フレーム
【図１】
0003132822.tif 000003
【図２】
0003132822.tif 000004
【図３】
0003132822.tif 000005
【図４】
0003132822.tif 000006
【図５】
0003132822.tif 000007
【図６】
0003132822.tif 000008
【図７】
0003132822.tif 000009